(57)【要約】【課題】鞄の表面に触ったときにソフトで気持ちの良い感触がし、しかも荷物を入れても型崩れがしない布製鞄を提供することを目的とする。【解決手段】伸縮性を有する生地からなる外装袋１の内側に、伸縮性のない生地からなる内装袋２を縫い合わせて内部が密封された一つの袋状に形成すると共に、外装袋１と内装袋２の間に発泡ビース３を封入し、さらに内装袋２の上部に内装袋２と連続して形成された提手４，４を設けた布製鞄とした。前記発泡ビース３は、発泡率２５〜６０倍、直径が０．５〜１．０ｍｍの球状のものを使用することが好ましい。【選択図】　図２
2004000355.tif 000002
【特許請求の範囲】
【請求項１】
伸縮性を有する生地からなる外装袋（１）の内側に、伸縮性のない生地からなる内装袋（２）を縫い合わせて内部が密封された袋状に形成すると共に、外装袋（１）と内装袋（２）の間に発泡ビース（３）を封入し、さらに内装袋（２）の上部に内装袋（２）と連続して形成された提手（４，４）を設けたことを特徴とする布製鞄。
【請求項２】
伸縮性を有する生地からなる外装袋（１）の内側に、伸縮性のない生地からなる内装袋（２）を縫い合わせて内部が密封された袋状に形成すると共に、外装袋（１）と内装袋（２）の間に発泡ビース（３）を封入し、さらに内装袋（２）の上部に提手（４，４）を取り付けたことを特徴とする布製鞄。
【請求項３】
伸縮性を有する生地からなる外装袋（１）の内側に、伸縮性のない生地からなる内装袋（２）を縫い合わせて内部が密封された袋状に形成すると共に、外装袋（１）と内装袋（２）の間に発泡ビース（３）を封入し、さらに内装袋（２）の上部に肩紐を取り付けたことを特徴とする布製鞄。
【請求項４】
発泡ビース（３）が、発泡率２５〜６０倍、直径が０．５〜１．０ｍｍの球状のものであることを特徴とする請求項１，２又は３記載の布製鞄。
【発明の詳細な説明】
【０００１】
【産業上の利用分野】
この発明は、伸縮性を有するソフトな生地を外側に使用した手触りの良好な布製鞄に関するものである。
【０００２】
【従来の技術】
従来の布製鞄は、荷物を入れて運ぶという目的から、丈夫である必要があり、デニムやナイロンオックスフォ−ド地のような伸縮性のない固い生地を使用して作製されていた。
【０００３】
そのため、生地が固く、手触りが良くないという問題点があった。この問題点を解決するために、ニットのようなソフトで伸縮性を有する生地を使用した布製鞄の要求があったが、このような生地で布製鞄を作ると、荷物の重量により生地が伸びてすぐに型崩れしてしまうという問題点があった。
【０００４】
【発明が解決しようとする課題】
そこでこの発明では、上述した従来の問題点を解決し、鞄の表面に触ったときにソフトで気持ちの良い感触がし、しかも荷物を入れても型崩れがしない布製鞄を提供することを目的とする。
【０００５】
【課題を解決するための手段】
そのため、請求項１記載の発明では、伸縮性を有する生地からなる外装袋１の内側に、伸縮性のない生地からなる内装袋２を縫い合わせて内部が密封された袋状に形成すると共に、外装袋１と内装袋２の間に発泡ビース３を封入し、さらに内装袋２の上部に内装袋２と連続して形成された提手４，４を設けた布製鞄とした。
【０００６】
請求項２記載の発明では、伸縮性を有する生地からなる外装袋１の内側に、伸縮性のない生地からなる内装袋２を縫い合わせて内部が密封された袋状に形成すると共に、外装袋１と内装袋２の間に発泡ビース３を封入し、さらに内装袋２の上部に提手４，４を取り付けた布製鞄とした。
【０００７】
請求項３記載の発明では、伸縮性を有する生地からなる外装袋１の内側に、伸縮性のない生地からなる内装袋２を縫い合わせて内部が密封された袋状に形成すると共に、外装袋１と内装袋２の間に発泡ビース３を封入し、さらに内装袋２の上部に肩紐を取り付けた布製鞄とした。
【０００８】
請求項１〜請求項３に記載の布製鞄では、外装袋１が伸縮性を有する生地からなるものであるだけでなく、内部に発泡ビースを封入しており、発泡ビースの流動性により、触ったときの感触が縫いぐるみやクッションのようなソフトなものとなる。
【０００９】
さらに、請求項１〜請求項３に記載の布製鞄では、荷物の重量は伸縮性のない生地からなる内装袋２で支えられており、外装袋１には荷物の重量が殆どかからないので、型崩れがしない。
【００１０】
前記発泡ビース３は、発泡率２５〜６０倍、直径が０．５〜１．０ｍｍの球状のものを使用することが好ましい。
【００１１】
このようにすれば、発泡ビース３の流動性及び感触が良好なものとなる。
【００１２】
【発明の実施の形態】
この発明の布製鞄の実施の形態を、図１、図２、及び図３の図面を参照して説明する。
【００１３】
尚、この実施例ではトートバッグにより説明するが、布製の鞄であれば種類はトートバッグに限定されるものではなく、どのような種類の布製鞄でも実施できる。
【００１４】
図１は、この発明の布製鞄の実施例であるトートバッグの斜視図であり、図２は中央より切断した断面図である。
【００１５】
このトートバッグは、伸縮性を有する生地からなる外装袋１の内側に、伸縮性のない生地からなる内装袋２を縫い合わせて内部が密封された袋状に形成し、さらに外装袋１と内装袋２の間に発泡ビース３を封入し、さらに内装袋２の上部に内装袋２と連続して形成された提手４，４を設けたものであり、提手４，４の中央には筒状に形成された革からなるグリップ５，５を取り付けている。外装袋１は内装袋２より幾分大きく形成されており、布製鞄に入れた荷物の重量は主に伸縮性のない生地からなる内装袋２で支えられるようになっており、外装袋１には荷物の重量が殆どかからないようになっている。
【００１６】
外装袋１の側面に形成されたポケット６は、携帯電話用を入れるためのものである。
【００１７】
以下、各構成部品について詳細に説明する。
【００１８】
外装袋１を構成する伸縮性を有する生地には、ニット等の編成方法により伸縮性を持たせた手触りの良いものを使用することが好ましいが、スパンデックス等のストレッチ織物を使用しても良い。使用する糸の素材は、毛、綿、ポリエステル等任意に選択できる。
【００１９】
内装袋２を構成する伸縮性のない生地には、デニムやナイロンオックスフォ−ド地など従来より鞄生地として使用されている強度のある生地から選択して使用される。
【００２０】
発泡ビース３は、ポリスチレン樹脂、ポリエチレン樹脂、ポリプロピレン樹脂などの合成樹脂を発泡させて球形にしたものである。発泡ビース３は、発泡倍率が２５〜６０倍の範囲のものが適度な弾性を有し、柔らかさの観点から適しており、発泡倍率が２５倍未満では弾性が少なくなって硬く感じられるようになり、また発泡倍率が６０倍を越えると柔らかすぎてへたり易くなる。発泡ビース３の直径は、０．５〜１．０ｍｍのものが流動性及び感触の観点から適しており、直径が０．５ｍｍ未満では固まりやすくなり流動性が悪くなるだけでなく、外装袋１や内装袋２の縫い目から漏れ出やすくなり、１．０ｍｍを越えると内部の発泡ビース３の形状が外装袋１の外から触って判るようになり、触ったときの感触が悪くなる。
【００２１】
この実施例では、提手４が内装袋２と連続して形成されている例を示したが、内装袋２に縫着する等して提手４を設けても良い。
【００２２】
図３は、この発明の第２実施例を示す断面図であり、外装袋１の内側に薄いプラスチックシートや薄い布地等からなるシート７を入れた実施例である。
【００２３】
このようにすれば、使用時に外装袋１に傷がついて孔が開いても、シート７により発泡ビース３が外部に飛び出さないようになる。このように発泡ビース３の漏れを防ぐための構成を追加して実施することもできる。
【００２４】
以上が、この発明の布製鞄の構成の説明であり、次に使用時の態様について説明する。
【００２５】
この布製鞄に荷物を収納し、提手４をもってさげると、荷物の重量は内装袋２で支えられ、外装袋１には荷物の重量は殆どかからない。そのため、外装袋１が伸びて布製鞄が型崩れすることがない。
【００２６】
さらに、この発明の布製鞄は、外装袋１と発泡ビース３により、触ったときの感触が縫いぐるみやクッションのようなソフトなものとなっているので、膝の上に置いても気持ちの良いものとなっている。
【００２７】
この発明の布製鞄には、外装袋１と内装袋２の間に発泡ビース３が入っているため、次の用途に使用できる。
▲１▼発泡ビース３のクッション性を利用し、外部からの衝撃を守るノートパソコン等の電子機器運搬用の布製鞄として使用できる。
▲２▼発泡ビース３は、断熱材としての効果もあるため、簡易な保温・保冷用の鞄（例えば、買物袋等）としても使用できる。
【００２８】
以上が、この発明の実施例の説明であり、提手４を設けたトートバッグの例を示したが、提手４に代えて肩紐とし、肩掛け鞄としても実施することもできる。また、提手４を内装袋２と一体に形成した例を示したが、別体として内装袋２に取り付けることもできるし、提手４の形状も任意に変更して実施できる。
【００２９】
またさらに、布製鞄の開口部に、チャックを取り付けて、内装袋２の開口部を開閉可能としても実施できる。
【００３０】
【発明の効果】
この発明の布製鞄では、上述のように構成されており、外装袋１が伸縮性を有する生地からなるものであるだけでなく、内部に発泡ビースを封入しており、発泡ビースの流動性により、触ったときの感触が縫いぐるみやクッションのようなソフトなものになっているので、膝の上に置いたときに気持ちの良いものとなる。さらに、荷物の重量は伸縮性のない生地からなる内装袋２で支えられており、外装袋１には荷物の重量が殆どかからないので、型崩れがせず、丈夫なものとなる。
【図面の簡単な説明】
【図１】この発明の布製鞄の斜視図である。
【図２】この発明の布製鞄の断面図である。
【図３】この発明の第２実施例の布製鞄の断面図である。
【符号の説明】
１　外装袋
２　内装袋
３　発泡ビース
４　提手
５　グリップ
【図１】
2004000355.tif 000003
【図２】
2004000355.tif 000004
【図３】
2004000355.tif 000005